(57)【要約】【課題】  調湿体の表面に結露水が発生したとしても、その結露水によって芯線が悪影響を受けることがない接続端子函装置を提供する。【解決手段】  調湿体４を通信ケーブル７の斜め上方に配置する。調湿体４の通信ケーブル７と対向する下面にシート８を設ける。シートは、上方から見て通信ケーブルを覆うように、左右端縁をそれぞれ通信ケーブルよりも外方へ張り出して配置される。【選択図】図２
2007020303.tif 000002
【特許請求の範囲】
【請求項１】
防水性及び絶縁性を有するシートと、前記シートの片面にのみ配設された高分子調湿材とを備えることを特徴とする調湿体。
【請求項２】
前記シートが伸縮性を有していることを特徴とする請求項１に記載の調湿体。
【請求項３】
内部に多数の芯線が挿通される函本体と、この函本体の内部に設けられた調湿体とを備えた接続端子函装置において、
前記調湿体が、防水性及び絶縁性を有するシートと、前記シートの片面にのみ配設された高分子調湿材とを備え、
前記調湿体が、前記シートの高分子調湿材が配設された面とは逆側の面を、前記芯線に対向配置されていることを特徴とする接続端子函装置。
【請求項４】
前記シートが伸縮性を有していることを特徴とする請求項３に記載の接続端子函装置。
【請求項５】
前記調湿体が前記芯線の上方に、前記シートの中央を折り曲げられた状態で断面への字状に配置され、
前記シートの左右の傾斜面の上側に前記高分子調湿材がそれぞれ配設されるとともに、前記シートが、上方から見て前記芯線を覆うように、左右端縁をそれぞれ前記芯線よりも外方へ張り出して配置されていることを特徴とする請求項３又は４に記載の接続端子函装置。
【請求項６】
前記函本体の前記芯線と直交する断面における形状が四角形状に形成され、前記高分子調湿材が前記芯線と前記函本体の上角部との間に配置されていることを特徴とする請求項５に記載の接続端子函装置。
【発明の詳細な説明】
【技術分野】
【０００１】
この発明は、調湿体及びその調湿体が用いられた接続端子函装置に関する。
【背景技術】
【０００２】
一般に、接続端子函装置は、下記特許文献１に記載されているように、函本体を備えている。函本体の一端側及び他端側の壁部には、多数の第１、第２芯線がそれぞれ挿通されている。第１、第２芯線は、函本体の内部において接続されている。函本体の内部には、湿度を一定に保つための調湿体が設けられている。
【特許文献１】特開２００３−１８９４３８号公報
【発明の開示】
【発明が解決しようとする課題】
【０００３】
接続端子函装置が、特殊な環境に設置された場合、例えば暴風雨に曝されるような環境、あるいは濃霧が発生するような環境に設置されるような場合には、函本体の内部に多量の水が入り込む。この水は、調湿体の高分子調湿材によって吸収される。高分子調湿材が多量の水を吸収すると、高分子調湿材を保持する保持体の周りの湿度が高くなり、保持体に結露が発生することがある。しかも、高分子調湿材が多量の水を吸収して大きく膨張すると、保持体が芯線に接触することがある。このとき、一旦、高分子調湿材に吸収された水が高分子調湿材から逆ににじみ出て保持体を介して芯線に接触したり、あるいは、保持体で発生した結露水が芯線に接触することとなり、結果的に、芯線に対して電気的な悪影響を与えるおそれがあった
【課題を解決するための手段】
【０００４】
前記の問題を解決するために、この発明に係る調湿体は、防水性及び絶縁性を有するシートと、前記シートの片面にのみ配設された高分子調湿材とを備えることを特徴としている。
【０００５】
この場合、前記シートが伸縮性を有していることが望ましい。このようにすれば、高分子調湿材が膨張して、例えば高分子調湿材を保持する保持体に引っ張り力が作用するときでも、その引っ張り力によってシートが伸びるので保持体の一部に過度の引張り力応力が作用することがなく、保持体自体や保持体とシートとの接合部が破損するのを防止することができる。
【０００６】
また、前記の問題を解決するために、この発明に係る接続端子函装置は、内部に多数の芯線が挿通される函本体と、この函本体の内部に設けられた調湿体とを備えた接続端子函装置において、前記調湿体が、防水性及び絶縁性を有するシートと、前記シートの片面にのみ配設された高分子調湿材とを備え、前記調湿体が、前記シートの高分子調湿材が配設された面とは逆側の面を、前記芯線に対向配置されていることを特徴としている。
【０００７】
この場合、前記シートが伸縮性を有していることが望ましい。このようにすれば、調湿体が膨張してそれに引っ張り力が作用するとき、その引っ張り力によってシートも調湿体と一緒に伸びる。したがって、調湿体の一部に過度の引っ張り力応力が作用することがなく、調湿体が破損することを防止することができる。
【０００８】
前記調湿体が前記芯線の上方に、シートの中央を折り折り曲げられた状態で断面への字状に配置され、前記シートの左右の傾斜面の上側に前記高分子調湿材がそれぞれ配設されるとともに、前記シートが、上方から見て前記芯線を覆うように、左右端縁をそれぞれ前記芯線よりも外方へ張り出して配置されていることが望ましい。
このようにすれば、調湿体に降りかかった水や調湿体において発生した結露水は、シートの上面を伝わって下方へ流れ、左右端縁から滴下する。このとき、シートによって芯線を覆っているので、結露水等が芯線上に落下することがない。
【０００９】
前記函本体の前記芯線と直交する断面における形状が四角形状に形成され、前記調湿体が前記芯線と前記函本体の上角部との間に配置されていることが望ましい。
このようにすれば、函本体の内部を有効に利用することができ、多くの調湿体を函本体の内部に設置することができる。
【発明の効果】
【００１０】
前記特徴構成を有するこの発明の調湿体又は接続端子函装置によれば、調湿体が膨張したとき、調湿体は芯線に接触することがなく、シートが芯線に接触する。シートは防水性を有しているから、調湿体が吸収した水や調湿体において結露した水が、芯線に接触することをシートが阻止する。しかも、シートは絶縁性を有しているので、シートが芯線に接触したとしても、シートが芯線に対して電気的な悪影響を及ぼすことがない。
【発明を実施するための最良の形態】
【００１１】
以下、この発明を実施するための最良の形態を、図面を参照して説明する。
図１及び図２は、この発明に係る接続端子函装置の一実施の形態を示す図であり、図１は断面図、図２は図１のＸ−Ｘ線に沿う拡大断面図である。これらの図に示すように、接続端子函装置１は、フレーム２、函本体３及び調湿体４を主な構成要素としている。
【００１２】
フレーム２は、水平方向に互いに離間し、かつ対向して配置された一対の端板部２ａ，２ｂと、一対の端板部２ａ，２ｂの上端部間に掛け渡された上連結部２ｃと、一対の端板部２ａ，２ｂの下端部間に掛け渡された下連結部２ｄとによって水平方向に長い長方形の枠状に形成されている。端板部２ａ，２ｂの上端部には、フレーム２の長手方向に延びる吊りワイヤ５が挿通固定されている。この吊りワイヤ５によってフレーム２が電柱（図示せず）の近傍に水平に支持され、ひいては接続端子装置１が支持されている。勿論、接続端子装置１は、他の方法によって支持してもよい。端板部２ａ，２ｂには、長手方向をフレーム２の長手方向に向けた導入管６がそれぞれ挿通固定されている。導入管６は、吊りワイヤ５より若干下側に配置されている。二つの導入管６，６は、互いの軸線を一致させて配置されている。導入管６は、フレーム２と一体に形成してもよい。
【００１３】
函本体３は、硬質樹脂からなる一対の半体３Ａ，３Ｂによって構成されている。半体３Ａ，３Ｂは、互いに対向する側部が開口した箱状をなしており、その開口した側部どうしを互いに突き合わせて固定することにより、中空の直方体状をなす函本体３が構成されている。函本体３は、フレーム２より大きい内部空間を有しており、函本体３の内部にフレーム２が収容されている。函本体３は、フレーム２に取付部材（図示せず）を介して取り付けられている。函本体３は、箱状をなす本体部と、この本体部の開口部を閉じる蓋体によって構成してもよく、他の構造にしてもよい。
【００１４】
函本体３を構成する半体３Ａ，３Ｂは、フレーム２の幅方向（図２において左右方向）の中央において互いに突き合わされている。したがって、半体３Ａ，３Ｂは、互いに突き合わされた部分が吊りワイヤ５及び導入管６によって貫通されている。これにより、函本体３の組み立て、分解を容易に行うことができるようになっている。
【００１５】
函本体３の内部には、周知の接続端子函装置と同様に、多数の通信ケーブル７が挿通されている。通信ケーブル７は、第１通信ケーブル７Ａと第２通信ケーブル７Ｂとによって構成されている。第１通信ケーブル７Ａは、一方の導入管６を通って外部から函本体３内に挿通されている。第２通信ケーブル７Ｂは、他方の導入管６を通って外部から函本体３内に挿通されている。第１、第２通信ケーブル７Ａ，７Ｂは、いずれも多数の芯線（図示せず）を有しており、通信ケーブル７Ａ，７Ｂの各芯線は、函本体３内において互いに接続されている。
【００１６】
箱本体３の内部には、調湿体４が設けられている。調湿体４は、シート８と、シート８の片面にのみ配設された高分子調湿材１１とを備える。高分子調湿材１１は、公知の各種のもの、例えば、乾燥時では粉状であるが水分を含むとそれら一つ一つが粒状に膨らむもの等が採用される。この実施の形態では、これら高分子調湿材１１は、シート８と、通気性及び通水性を有する例えば不織布からなる保持体１０との挟み込まれていて、シート８とそれに対向する保持体１０外周縁とがヒートシールされることにより、それらの間に保持される。また、この実施形態では、シート８との間に高分子調湿材１１を保持する保持体１０は、断面長方形の板状に形成されているが、他の形状にしてもよい。
【００１７】
シート８は、防水性（不透水性）及び絶縁性を有する素材によって構成されている。シート８は、特に、伸縮性を有するものであることが望ましい。防水性、絶縁性及び伸縮性を有するシート８は、例えばポリエチレン、ポリプロピレン等の樹脂で構成することができる。シート８の両端部は、保持体１０の面積より大きい面積を有しており、シート８の周縁部が全周にわたって保持体１０から突出している。
【００１８】
シート８は、芯線の上方に、中央をフレーム２の上連結部２ｃに掛けられて、図２に示すように、断面への字状に配置されている。そして、このシート８の左右の傾斜面の上側に、高分子調湿材１１がシート８との間に挟み込まれた状態で配置されている。これにより、シート８の片面に固定された、シート８とに間で高分子調湿材１１を保持する二つの保持体１０が、上連結部２ｃにシート８を介して吊り下げられる。ただし、二つの保持体１０，１０は、シート８によって上連結部２ｃから真下に吊り下げられることなく、函本体３内の通信ケーブル７に対して斜め上方に位置するように、つまり通信ケーブル７と函本体３の上角部との間に位置するように保持されている。この結果、保持体１０の下面１０ａ及びシート８は、下方へ向かうにしたがって通信ケーブル７（芯線）から水平方向へ離間するように傾斜させられている。しかも、調湿体４は、上側から見て芯線を覆うように、シート８の左右端縁が、芯線よりも外方へ張り出して配置されている。なお、図２において符号９は、シート８を上連結部２ｃに固定するための締付ベルト等からなる締結具である。
【００１９】
前記構成の接続端子函装置１において、調湿体４の高分子調湿材１１が多量の水分を吸収して膨張すると、調湿体４がその自重や、膨張した調湿体４の上面が函本体３の内面に突き当たることにより、斜め下方に押されて、その下面が通信ケーブル７に接触する場合がある。このとき、保持体１０の下面１０ａは、通信ケーブル７に直接接触することがなく、シート８を介して接触する。シート８は、防水性を有しているので、例え、保持体１０の表面に結露水が発生していたとしてもその結露水が通信ケーブル７に接触したり、一旦、高分子調湿材１１に吸収された水が高分子調湿材１１から逆ににじみ出て保持体１０を介して芯線に接触したりすることがない。しかも、シート８は絶縁性を有しており、したがって、シート８が通信ケーブル７に接触したとしても、芯線が電気的な悪影響を受けることがない。
【００２０】
ところで、仮にシート８が全く伸縮しないものであると、高分子調湿材１１が膨張したときに、もともと伸縮性に乏しい保持体１０とシート８との間で大きな引っ張り応力が作用し、シート８や保持体１０並びに保持体１０とシート８との接合部であるヒートシール部が破損するおそれがある。その点、この実施の形態の接続端子函装置１では、シート８が伸縮性を有しているので、シート８や保持体１０自体、並びに保持体１０とシート８との間のヒートシール部に、大きな応力が作用することを防止することができる。したがって、ヒートシール部等が破損するような事態を確実に防止することができる。
【００２１】
さらに、高分子調湿材１１を含む保持体１０を通信ケーブル７と函本体３の上角部との間に配置することにより、函本体３の上角部近傍の内部空間を有効利用することができる。したがって、従来の接続端子函装置より多量の高分子調湿材１１を函本体３内に配置することができる。また、調湿体４の表面に結露水が発生したとしても、その結露水はシート８を伝わって下方へ流れる。しかも、シート８が、上方から見て通信ケーブル７に、左右端縁をそれぞれ芯線よりも外方へ張り出して配置されているので、シート８を下方へ流れた結露水がシート８の下端部から滴り落ちたとしても、その水滴が通信ケーブル７上に落下することがない。
【００２２】
なお、この発明は、前記の実施の形態に限定されるものでなく、その要旨を逸脱しない範囲において適宜変更可能である。
【図面の簡単な説明】
【００２３】
【図１】この発明に係る接続端子函装置の一実施の形態を示す断面図である。
【図２】図１のＸ−Ｘ線に沿う拡大断面図である。
【符号の説明】
【００２４】
１  接続端子函装置
３  函本体
４  調湿体
７  通信ケーブル（芯線）
８  シート
１０  保持体
１１  高分子調湿材
【図１】
2007020303.tif 000003
【図２】
2007020303.tif 000004